(57)【要約】      （修正有）【課題】異なる機種の現像カートリッジが装着されても、現像ローラを感光体ドラムに対して押圧することができ、使い勝手が良いドラムカートリッジを提供する。【解決手段】感光体ドラム２１を支持する筐体２５が、現像ローラ３５を支持する現像カートリッジ３０を収容する収容部２５ａを有する。収容部２５ａには、現像カートリッジ３０に設けた被押圧部３２ｃを押圧して現像ローラ３５を感光体ドラム２１に対して押圧する押圧部材４０を配置する。押圧部材には、現像カートリッジ３０の第１被押圧部３２ｃに当接可能な第１当接面４１ｂと、現像カートリッジ３０の第２被押圧部に当接可能な第２当接面４１ｃとを、感光体ドラム２１と収容部２５ａとを繋ぐ方向Ｘにおいて並んで設ける。  【選択図】図１
0003167017.tif 000002
【実用新案登録請求の範囲】
【請求項１】
感光体ドラムを支持する筐体が、現像ローラを支持する現像カートリッジを収容する収容部と、前記収容部に設けられ、前記現像カートリッジに設けた被押圧部を押圧して前記現像ローラを前記感光体ドラムに対して押圧する押圧部材と、を有するドラムカートリッジにおいて、
前記押圧部材には、第１被押圧部に当接可能な第１当接面と、第２被押圧部に当接可能な第２当接面とが形成され、
前記第１当接面と前記第２当接面は、前記感光体ドラムと前記収容部とを繋ぐ方向において並んで位置する
ことを特徴とするドラムカートリッジ。
【請求項２】
請求項１に記載するドラムカートリッジにおいて、
前記第１及び前記第２当接面は、前記現像ローラを前記感光体ドラムに対して押圧する力が等しくなるように、前記押圧部材に形成されている
ことを特徴とするドラムカートリッジ。
【請求項３】
請求項１又は請求項２に記載するドラムカートリッジにおいて、
前記押圧部材は、前記現像カートリッジ側に開口する開口部を有し、前記第１当接面と前記第２当接面の一方が前記開口部を形成する面によって形成される
ことを特徴とするドラムカートリッジ。
【請求項４】
請求項１乃至請求項３の何れか１つに記載するドラムカートリッジにおいて、
前記押圧部材は、
前記筐体に揺動可能に支持され、前記第１及び前記第２当接面を備える揺動部材と、
前記揺動部材を前記感光体ドラム側に回動させるように付勢する付勢部材と、を有することを特徴とするドラムカートリッジ。
【請求項５】
請求項１乃至請求項４の何れか１つに記載するドラムカートリッジにおいて、
前記押圧部材は、前記筐体における、前記感光体ドラムを支持する第１端側と反対の第２端側に、前記感光体ドラムの軸線方向中心を通り前記軸線に対して垂直な垂線を挟んで対称に配置されている
ことを特徴とするドラムカートリッジ。
【考案の詳細な説明】
【技術分野】
【０００１】
本考案は、感光体ドラムを回転可能に支持する筐体に、現像カートリッジを着脱可能に収容する収容部が設けられたドラムカートリッジに関する。
【背景技術】
【０００２】
画像形成装置には、トナーなどの現像剤を用いて用紙に印刷するものがある。画像形成装置は、消耗しやすい現像剤を収納するプロセスユニットを画像形成装置本体に着脱自在に装着し、現像剤の補充等のメンテナンスを容易にしている。
【０００３】
プロセスユニットは、感光体ドラムと現像剤の消耗期間の相違から、感光体ドラムを備えるドラムカートリッジと現像剤を収容する現像カートリッジとに分離されている。ドラムカートリッジ等には、現像カートリッジを収容する収容部に押圧部材を設け、現像カートリッジに設けた現像ローラを感光体ドラムに押圧している。これにより、画像形成装置が、静電潜像を形成された感光体ドラムに現像ローラから現像剤を供給して印刷を行う際に、感光体ドラムに付着する現像剤の量が安定し、所定の印字性能を得ることができる（例えば特許文献１参照。）。
【特許文献１】特開２０００−２５０３７８号公報
【考案の概要】
【考案が解決しようとする課題】
【０００４】
しかしながら、従来のドラムカートリッジは、使い勝手が悪い点があった。
【０００５】
本考案は、上記問題点を解決するように改良したドラムカートリッジを提供するものである。
【課題を解決するための手段】
【０００６】
本考案に係るドラムカートリッジは、次のような構成を有している。
（１）感光体ドラムを支持する筐体が、現像ローラを支持する現像カートリッジを収容する収容部と、前記収容部に設けられ、前記現像カートリッジに設けた被押圧部を押圧して前記現像ローラを前記感光体ドラムに対して押圧する押圧部材と、を有するドラムカートリッジにおいて、前記押圧部材には、第１被押圧部に当接可能な第１当接面と、第２被押圧部に当接可能な第２当接面とが形成され、前記第１当接面と前記第２当接面は、前記感光体ドラムと前記収容部とを繋ぐ方向において並んで位置する。
（２）（１）に記載の考案において、前記第１及び前記第２当接面は、前記第１及び前記第２被押圧部を介して前記現像ローラを前記感光体ドラムに対して押圧する力が等しくなるように、前記押圧部材に形成されている。
（３）（１）又は（２）に記載の考案において、前記押圧部材は、前記現像カートリッジを前記収容部に取り付ける取付方向に向かって開口する開口部を有し、前記第１当接面と前記第２当接面の一方が前記開口部を形成する面によって形成される。
（４）（１）乃至（３）の何れか１つに記載の考案において、前記押圧部材は、前記筐体に揺動可能に支持され、前記第１及び前記第２当接面を備える揺動部材と、前記揺動部材を前記感光体ドラム側に回動させるように付勢する付勢部材と、を有する。
（５）（１）乃至（４）の何れか１つに記載の考案において、前記押圧部材は、前記筐体における、前記感光体ドラムを支持する第１端側と反対の第２端側に、前記感光体ドラムの軸線中心を通り前記軸線に対して垂直な垂線を挟んで対称に配置されている。
【考案の効果】
【０００７】
以上の考案によれば、ドラムカートリッジの使い勝手を向上させることができる。例えば、ドラムカートリッジは、被押圧部に当接する当接面が押圧部材に１つしか形成されていない場合には、使用者が異なる機種の現像カートリッジを購入して筐体の収容部に装着したときに、押圧部材が装着された現像カートリッジの被押圧部材に当接しないことがある。このようなトナーカートリッジと現像カートリッジを使用する画像形成装置は、現像ローラが感光体ドラムに対して押圧されていないため、感光体ドラムの表面に付着する現像剤が不足して印字不良を生じる虞がある。
【０００８】
この点、本考案のドラムカートリッジの押圧部材には、第１被押圧部に当接可能な第１当接面と、第２被押圧部に当接可能な第２当接面とが、感光体ドラムと収容部とを繋ぐ方向において並んで位置している。
【０００９】
そのため、ドラムカートリッジは、第１被押圧部を備える現像カートリッジが収容部に収容された場合には、押圧部材の第１当接面を第１被押圧部に当接させて現像ローラを感光体ドラムに対して押圧する。また、ドラムカートリッジは、第２被押圧部を備える現像カートリッジが収容部に収容された場合には、押圧部材の第２当接面を第２被押圧部に当接させて現像ローラを感光体ドラムに対して押圧する。
【００１０】
そのため、例えば、使用者が第２被押圧部を備える現像カートリッジを第１被押圧部を備える現像カートリッジと誤認して購入し、ドラムカートリッジの収容部に収容したときに、第１当接面が第２被押圧部に当接しない場合でも、第２当接面が第２被押圧部に当接して現像ローラを感光体ドラムに対して押圧する。よって、本考案のドラムカートリッジによれば、異なる機種の現像カートリッジが収容されても、現像ローラを感光体ドラムに対して押圧することができ、使い勝手が良い。
【００１１】
このようなドラムカートリッジを使用する画像形成装置は、異なる機種に対応する現像カートリッジの現像ローラから感光体ドラムに現像剤を適正量供給し、印字性能が安定する。
【００１２】
また、ドラムカートリッジは、第１当接面が第１被押圧部を介して現像ローラを感光体ドラムに対して押圧する力と、第２当接面が第２被押圧部を介して現像ローラを感光体ドラムに対して押圧する力とが等しくなるように、第１及び第２当接面を押圧部材に形成している。そのため、ドラムカートリッジは、例えば、異なる機種の現像カートリッジを収容部に収容した場合でも、適正な現像カートリッジを収容部に収容したときと同じ力で現像ローラを感光体ドラムに対して押圧し、印字性能のバラツキをなくすことができる。
【００１３】
ドラムカートリッジは、押圧部材が、現像カートリッジ側に開口する開口部を構成する面により、第１当接面と第２当接面の一方が形成されている。そのため、ドラムカートリッジは、簡単な構造で押圧部材に複数の当接面を形成することができる。
【００１４】
また、本考案のドラムカートリッジは、第１及び第２当接面を備える揺動部材を筐体に揺動可能に軸支させ、揺動部材を付勢部材によって感光体ドラム側に付勢して、押圧部材を構成している。このようなドラムカートリッジは、第１当接面に当接する第１被押圧部と、第２当接面に当接する第２被押圧部をそれぞれ１個の付勢部材で付勢するので、押圧部材を構成する部品を減らして押圧部材の構造をコンパクトにすることができる。
【００１５】
ドラムカートリッジは、筐体が、感光体ドラムを支持する前側と反対の後側に、感光体ドラムの軸線中心を通り軸線に対して垂直な垂線挟んで押圧部材を対称配置している。そのため、ドラムカートリッジは、第１当接面を第１被押圧部に当接させる場合と、第２当接面を第２被押圧部に当接させる場合の何れでも、現像ローラを感光体ドラムに対して軸線方向に均一な力で押圧することができる。
【図面の簡単な説明】
【００１６】
【図１】本考案の実施形態に係り、画像形成装置の内部を示す概略構成図である。
【図２】図１に示すドラムカートリッジと現像カートリッジの装着を説明する図である。
【図３】図１に示す押圧部材周辺の要部拡大図である。
【図４】図３に示す押圧部材と被押圧部材との位置関係を説明する要部断面図である。
【考案を実施するための形態】
【００１７】
次に、本考案に係るドラムカートリッジの一実施形態について図面を参照して説明する。
【００１８】
＜画像形成装置の概略構成＞
図１は、「画像形成装置」の一例であるレーザプリンタ１の内部を示す概略構成図である。
【００１９】
レーザプリンタ１は、本体ケーシング２に給紙カセット３が着脱自在に装着されている。給紙カセット３には用紙４が積層状態で収容されている。プリンタ１は、図中一点鎖線に示すように、給紙部５によって給紙カセット３から画像形成部６へ用紙４を搬送し、画像形成部６において画像を形成した用紙４を排紙部７から排紙トレイ２ａへ排出する。
【００２０】
画像形成部６は、露光ユニット１１からプロセスユニット１２の感光体ドラム２１に向けてレーザ光を照射し、感光体ドラム２１の表面に静電潜像を形成する。プロセスユニット１２は、感光体ドラム２１の表面に「現像剤」の一例であるトナー３１を供給してトナー像を形成し、そのトナー像を転写した用紙４を定着部１３へ送る。定着部１３は用紙４にトナー像を熱定着させる。
【００２１】
本体ケーシング２は、前面に開口部２ｂが設けられている。開閉部材２ｃは、本体ケーシング２にヒンジ部８を介して回動可能に支持され、開口部２ｂを開閉する。プロセスユニット１２は、トナー３１の補充等のメンテナンスを容易にするために、開口部２ｂを介して本体ケーシング２に着脱自在に装着されている。
【００２２】
＜プロセスユニットの構成＞
プロセスユニット１２は、消耗品の消耗期間の相違から、感光体ドラム２１を備えるドラムカートリッジ２０と、トナー３１を収容する現像カートリッジ３０とに分離されている。プロセスユニット１２は、例えば、ドラムカートリッジ２０を本体ケーシング２に装着した後に現像カートリッジ３０を着脱しても良いし、予め現像カートリッジ３０を装着したドラムカートリッジ２０を本体ケーシング２に装着しても良い。
【００２３】
＜現像カートリッジの構成＞
現像カートリッジ３０は、樹脂製の現像側筐体３２を備える。現像側筐体３２は、現像カートリッジ３０をドラムカートリッジ２０に装着したときに、感光体ドラム２１に接触する現像ローラ３５を回転可能に支持している。現像側筐体３２は、現像ローラ３５と平行に供給ローラ３４を配置している。供給ローラ３４は、現像ローラ３５に接触して現像ローラ３５と同一方向に回転する。
【００２４】
現像側筐体３２には、トナー３１を収納する収納室３２ａが形成されている。収納室３２ａの内部には、アジテータ３３が回転自在に配置され、トナー３１が攪拌されるようになっている。現像側筐体３２は、収納室３２ａからトナー３１を排出する排出口３２ｂが現像ローラ３５及び供給ローラ３４と平行に開設され、トナー３１を供給ローラ３４を介して現像ローラ３５に供給するようになっている。現像側筐体３２は、現像ローラ３５に付着した余分なトナー３１を掻き落としてトナー３１の厚みを均一にするとともにトナー３１を帯電させるブレード３６を備える。
【００２５】
＜ドラムカートリッジの構成＞
一方、ドラムカートリッジ２０は、樹脂製のドラム側筐体２５を備える。ドラム側筐体２５には感光体ドラム２１が回転可能に軸支されている。ドラム側筐体２５は、感光体ドラム２１の軸線に沿って長く入射開口部１４が設けられ、露光ユニット１１のレーザ光を感光体ドラム２１の表面に照射させる。
【００２６】
ドラム側筐体２５は、感光体ドラム２１の表面を帯電させる帯電器２２を入射開口部１４の隣に配置している。ドラム側筐体２５は、感光体ドラム２１の図中下側に転写ローラ２３を回転可能に配置している。転写ローラ２３は、感光体ドラム２１との間に搬送された用紙４にトナー像を転写するための転写デバイスが印加される。転写ローラ２３の隣には、異物除去ブラシ２４が配置され、感光体ドラム２１から異物を除去する。
【００２７】
＜ドラムカートリッジと現像カートリッジの装着構造＞
図２は、図１に示すドラムカートリッジ２０と現像カートリッジ３０の装着を説明する図である。尚、図２に示すドラムカートリッジ２０と現像カートリッジ３０は、図面を見やすくするために、記載を簡略化している。本実施形態では現像カートリッジ３０をドラムカートリッジ２０の正規品とする。そして、現像カートリッジ１３０は、ドラムカートリッジ２０の非正規品とし、現像カートリッジ３０と同じ構成には図中括弧書きで符号を記載し、現像カートリッジ３０と異なる構成は図中二点鎖線で記載している。
【００２８】
ドラム側筐体２５は、上壁２５ｃを除く部分の上方が開放され、現像カートリッジ３０を上方から着脱できるように収容部２５ａが形成されている。収容部２５ａの左右側壁２５ｄ，２５ｄには、案内溝２５ｂがそれぞれ設けられている。案内溝２５ｂ，２５ｂは、現像カートリッジ３０を収容部２５ａに装着するときに、現像側筐体３２の左右側壁３２ｄ，３２ｄから突出する現像ローラ軸３５ａを摺動可能に支持して案内し、現像ローラ３５を感光体ドラム２１に対して平行に近接させるように、設けられている。
【００２９】
ドラム側筐体２５は、感光体ドラム２１を支持する前側と収容部２５ａを挟んで反対の後側の側壁２５ｇに一対の押圧部材４０が配置されている。押圧部材４０は、感光体ドラム２１の軸線Ｌ１方向の中心を通り軸線Ｌ１に対して垂直な垂線Ｌ２を挟んで対称配置されている。現像側筐体３２の左右側壁３２ｄ，３２ｄには、パイプ状の第１被押圧部３２ｃが立設されている。
【００３０】
尚、現像カートリッジ１３０は、第２被押圧部１３２ｃが第１被押圧部３２ｃより斜め下方に設けられている点が、現像カートリッジ３０と相違する。
【００３１】
＜押圧部材の構成＞
図３は、図１に示す押圧部材４０周辺の要部拡大図である。図４は、図３に示す押圧部材と被押圧部材との位置関係を説明する要部断面図である。尚、図３及び図４では、図面を見やすくするために記載を簡略化している。
【００３２】
押圧部材４０は、ドラム側筐体２５に揺動可能に軸支され第１及び第２当接面４１ｂ，４１ｃを備える揺動部材４１と、揺動部材４１を感光体ドラム２１側に回動させるように付勢する付勢部材４２とを備える。
【００３３】
ドラム側筐体２５には、揺動部材４１を軸支する支軸２５ｈが設けられている。支軸２５ｈは、感光体ドラム２１と平行に設けられている。揺動部材４１は、支軸２５ｈに摺動可能に嵌合する軸受部４１ｅが形成されている。軸受部４１ｅは、揺動部材４１の側面に開口し、揺動部材４１が支軸２５ｈから脱落しないように支持部２５ｈが押し込まれて嵌合されるようになっている。
【００３４】
付勢部材４２は、ドラム側筐体２５の支軸２５ｈより後方（支軸２５ｈを挟んで感光体ドラム２１と反対側）に配置されている。付勢部材４２は、先端部を支軸２５ｈ側に倒すように斜めに配置されている。付勢部材４２は、先端部が揺動部材４１のばね受け部４１ｄに係合し、揺動部材４１を感光体ドラム２１側に回転させるように常時付勢している。揺動部材４１は、現像カートリッジ３０，１３０をドラムカートリッジ２０に装着しないときには、ドラム側筐体２５の底壁２５ｅに立設された係止凸部２５ｆに当接して回転体ドラム２１側への回転が制限される。
【００３５】
揺動部材４１は、第１被押圧部３２ｃに当接可能な第１当接面４１ｂと、第２被押圧部１３２ｃに当接可能な第２当接面４１ｃとが形成されている。第１当接面４１ｂと第２当接面４１ｃは、感光体ドラム２１と収容部２５ａとを繋ぐ方向Ｘ（図１、図２、図４参照）において並んで位置している。
【００３６】
第１及び第２当接面４１ｂ，４１ｃは、第１及び第２被押圧部３２ｃ，１３２ｃを介して現像ローラ３５，１３５を感光体ドラム２１に対して押圧する力が等しくなるように、押圧部材４０の揺動部材４１に形成されている。
【００３７】
具体的には、揺動部材４１は、現像カートリッジ３０（１３０）側（軸受部４１ｅと反対側）に開口する開口部４１ａを有する。揺動部材４１は、開口部４１ａを形成する面によって第１当接面４１ｂが形成されている。開口部４１ａは、付勢部材４２側の内壁にテーパを設けて開口幅を広げ、第１被押圧部３２ｃを開口部４１ａ内に案内しやすくしている。第１当接面４１ｂはこのテーパ部分によって設けられている。また、揺動部材４１は、感光体ドラム２１側の外側面にテーパを設け、第２当接面４１ｃを設けている。揺動部材４１は、第２当接面４１ｃと開口部４１ａとの間の肉厚を厚くして、第２当接面４１ｃが第２被押圧部１３２ｃを押圧する際に変形して倒れ込むのを防止している。
【００３８】
揺動部材４１は、現像カートリッジ３０，１３０を収容部２５ａに収容した場合に、支軸２５ｈの中心から第１及び第２当接面４１ｂ，４１ｃが第１及び第２被押圧部３２ｃ，１３２ｃに当接する部分Ｐ１，Ｐ２までの距離が等しくなるように、第１及び第２当接面４１ｂ，４１ｃを形成するテーパを設けている。
【００３９】
また、第１及び第２当接面４１ｂ，４１ｃを構成するテーパは、第１及び第２当接面４１ｂ，４１ｃが第１及び第２被押圧部３２ｃ，１３２ｃをそれぞれ押圧する際に付勢部材４２が圧縮する圧縮量を等しくするように、設けられている。ドラムカートリッジ２０が、現像カートリッジ３０，１３０の何れを収容部２５ａに収容しても、現像ローラ３５，１３５を感光体ドラム２１に対して押圧する押圧力を等しくするためである。
【００４０】
＜動作説明＞
先ず、上記ドラムカートリッジ２０に正規の現像カートリッジ３０を装着する方法について説明する。
【００４１】
使用者は、現像ローラ軸３５ａの両端部をドラム側筐体２５の案内溝２５ｂ，２５ｂに沿って挿入しながら、現像カートリッジ３０を収容部２５ａに収容する。
【００４２】
揺動部材４１は、開口部４１ａに第１被押圧部３２ｃが挿入され、支軸２５ｈを中心に感光体ドラム２１と反対側に回動して第１当接面４１ｂを第１被押圧部３２ｃに当接させる。このとき、付勢部材４２が圧縮されて反発力を生じ、その反発力が第１当接面４１ｂと第１被押圧部３２ｃとの接点Ｐ１を介して現像側筐体３２に伝達される。現像ローラ３５は、現像側筐体３２を介して付勢部材４２の付勢力を伝達され、感光体ドラム２１に押圧される。
【００４３】
このようにして現像カートリッジ３０をドラムカートリッジ２０に装着したプロセスユニット１２を備えるプリンタ１は、現像ローラ３５から感光体ドラム２１に供給されるトナー３１の量が安定するので、印字性能が安定する。
【００４４】
尚、現像カートリッジ１３０がドラムカートリッジ２０に装着された場合には、揺動部材４１は、第２当接面４１ｃに沿って第２被押圧部１３２ｃが挿入され、支軸２５ｈを中心に感光体ドラム２１と反対側に回動される。このとき、付勢部材４２が圧縮されて反発力を生じ、その反発力が第２当接面４１ｃと第２被押圧部１３２ｃとの接点Ｐ２を介して現像側筐体１３２に伝達される。現像ローラ１３５は、現像側筐体１３２を介して付勢部材４２の付勢力を伝達され、感光体ドラム２１に押圧される。
【００４５】
＜作用効果＞
本実施形態のドラムカートリッジ２０は、押圧部材４０が、正規の現像カートリッジ３０に設けた第１被押圧部３２ｃに当接可能な第１当接面４１ｂと、非正規品の現像カートリッジ１３０に設けた第２被押圧部１３２ｃに当接可能な第２当接面４１ｃとが、感光体ドラム２１と収容部２５ａとを繋ぐ方向Ｘにおいて並んで位置している。
【００４６】
そのため、例えば、使用者が第２被押圧部１３２ｃを備える非正規品の現像カートリッジ１３０を第１被押圧部３２ｃを備える正規の現像カートリッジ３０と誤認して購入し、ドラムカートリッジ２０の収容部２５ａに収容したときに、第１当接面４１ｂが第２被押圧部１３２ｃに当接しなくても、第２当接面４１ｃが第２被押圧部１３２ｃに当接して現像ローラ１３５を感光体ドラム２１に対して押圧する。よって、本実施形態のドラムカートリッジ２０によれば、異なる機種の現像カートリッジ１３０を収容部２５ａに収容する場合でも、現像ローラ３５を感光体ドラム２１に対して押圧することができ、使い勝手が良い。
【００４７】
そして、ドラムカートリッジ２０を使用するプリンタ１は、異なる機種に対応する現像カートリッジ１３０の現像ローラ３５から感光体ドラム２１にトナー３１を適正量供給し、印字性能が安定する。
【００４８】
また、ドラムカートリッジ２０は、第１当接面４１ｂが第１被押圧部３２ｃを介して現像ローラ３５を感光体ドラム２１に対して押圧する力と、第２当接面４１ｃが第２被押圧部１３２ｃを介して現像ローラ１３５を感光体ドラム２１に対して押圧する力とが等しくなるように、第１及び第２当接面４１ｂ，４１ｃを押圧部材４０に形成している。そのため、ドラムカートリッジ２０は、例えば、異なる機種の現像カートリッジ１３０を収容部２５ａに収容した場合でも、正規の現像カートリッジ３０を収容部２５ａに収容したときと同じ力で現像ローラ１３５を感光体ドラム２１に対して押圧し、印字性能のバラツキをなくすことができる。
【００４９】
ドラムカートリッジ２０は、押圧部材４０が、現像カートリッジ３０側に開口する開口部４１ａを構成する面により、第１当接面４１ｂが形成されている。そのため、ドラムカートリッジ２０は、簡単な構造で押圧部材４０に複数の当接面４１ｂ，４１ｃを形成することができる。
【００５０】
また、本実施形態のドラムカートリッジ２０は、第１及び第２当接面４１ｂ，４１ｃを備える揺動部材４１をドラム側筐体２５の支軸２５ｈに揺動可能に軸支させ、揺動部材４１を付勢部材４２によって感光体ドラム２１側に付勢して、押圧部材４０を構成している。このようなドラムカートリッジ２０は、第１当接面４１ｂに当接する第１被押圧部３２ｃと、第２当接面４１ｃに当接する第２被押圧部１３２ｃをそれぞれ１個の付勢部材４２で付勢するので、押圧部材４０を構成する部品を減らして押圧部材４０の構造をコンパクトにすることができる。
【００５１】
ドラムカートリッジ２０は、ドラム側筐体２５が、感光体ドラム２１を支持する前側と反対の後側に、感光体ドラム２１の軸線Ｌ１の中心を通り軸線Ｌ１に対して垂直な垂線Ｌ２挟んで一対の押圧部材４０を対称配置している。そのため、ドラムカートリッジ２０は、第１当接面４１ｂを第１被押圧部３２ｃに当接させる場合と、第２当接面４１ｃを第２被押圧部１３２ｃに当接させる場合の何れでも、現像ローラ３５，１３５を感光体ドラム２１に対して軸線方向に均一な力で押圧することができる。
【００５２】
尚、本考案は、上記実施形態に限定されることなく、色々な応用が可能である。
【００５３】
上記実施形態では、押圧部材４０を揺動可能に設けたが、押圧部材４０をスライド可能に設け、ワンタッチで第１及び第２被押圧部３２ｃ，１３２ｃに当接する当接面の位置調節をできるようにした。これに対して、第１及び第２被押圧部３２ｃ，１３２ｃに当接する第１及び第２当接面の位置調節をするようにしても良い。
【００５４】
上記実施形態では、開口部４１ａを設けて複数の当接面を形成した。これに対して、複数の凸部を揺動部材４１に設けて第１及び第２当接面を感光体ドラムと収容部とを繋ぐ方向に複数並べて設けてもよい。また、複数の開口部を設けて、各開口部を構成する面で第１及び第２当接面を構成しても良い。
【符号の説明】
【００５５】
２０  ドラムカートリッジ
２１  感光体ドラム
２５  ドラム側筐体
２５ａ  収容部
３０，１３０  現像カートリッジ
３１  トナー（現像剤）
３２ｃ，１３２ｃ  被押圧部
３５，１３５  現像ローラ
４０  押圧部材
４１  揺動部材
４１ａ  開口部
４１ｂ，４１ｃ  第１，第２当接面
４２  付勢部材
Ｘ  感光体ドラムと収容部とを繋ぐ方向
Ｌ１  軸線
Ｌ２  垂線
【図１】
0003167017.tif 000003
【図２】
0003167017.tif 000004
【図３】
0003167017.tif 000005
【図４】
0003167017.tif 000006